(57)【要約】【目的】ホッパ装置からの水漏れトラブルやその内部での水滴落下を解消できるとともに、切替弁を必要としない廉価な給湯風呂装置を提供すること。【解決手段】逆流防止路Ｂに給湯風呂装置１の大気に連通可能な大気開放口５ａと給湯流路と連通可能な浴槽開放口６ａとが底面に形成された弁室Ｒを設ける。そして弁室Ｒには、更に大気開放口５ａを開閉する大気開放弁５ｂ及びその弁５ｂを開放口５ａを開放する方向へ付勢するスプリング５ｄと、浴槽開放口６ａを開閉する浴槽開放弁６ｂ及びその弁６ｂを当該開放口６ａを開放する方向へ付勢するスプリング６ｄとを設ける。開放弁５ｂ，６ｂは、施工時に給水元栓の開栓に伴う導水管２ｃからの通水圧で閉止させる。断水時には水圧がなくなるため開放弁５ｂ，６ｂは開放する。そのため浴槽８側から開放口６ａを通って水が逆流してきてもその水は開放口５ａから排出される。【選択図】図１Ｂ
2004324945.tif 000002
【特許請求の範囲】
【請求項１】
給湯器から浴槽への湯張り機能を有する給湯風呂装置において、給湯器の入水路と湯張り流路とを連通させる逆流防止路が備えられ、当該逆流防止路には、大気に連通可能な第一開口と、前記湯張り流路と連通可能な第二開口とが形成された弁室が備えられ、当該弁室には、前記第一開口を開閉する第一弁体及びその弁体を当該開口を開放する方向へ付勢する第一付勢部材と、前記第二開口を開閉する第二弁体及びその弁体を当該開口を開放する方向へ付勢する第二付勢部材とが備えられ、前記第一弁体及び第二弁体は、前記入水路を介して供給される上水の圧力を受けて、各々、前記第一開口及び第二開口を閉止するものであることを特徴とする給湯風呂装置。
【請求項２】
前記弁室は、その入水口が前記第一弁体の略鉛直上方に形成され、前記入水路を介して供給される上水の圧力が、前記第一弁体を前記第一開口を閉止する方向にかかりやすくしたことを特徴とする請求項１に記載の給湯風呂装置。
【請求項３】
前記第一開口は、前記弁室の底面に形成されるとともに、その周囲が少なくとも前記弁室内側へ突出した筒状体として形成されていることを特徴とする請求項２に記載の給湯風呂装置。
【請求項４】
前記弁室には、前記第一弁体の軸の少なくとも一部を収容する軸受が前記入水口から延設されていることを特徴とする請求項２又は３に記載の給湯風呂装置。
【請求項５】
前記軸受には、前記弁室へ上水を案内する案内口が形成されていることを特徴とする請求項４に記載の給湯風呂装置。
【請求項６】
前記案内口は、前記第一弁体が前記入水路を介して供給される上水の圧力により押されきったときの当該第一弁体の軸上端高さに相当する位置に形成されていることを特徴とする請求項５に記載の給湯風呂装置。
【請求項７】
前記第一弁体の軸には上水を前記弁室へ案内する案内路が形成されていることを特徴とする請求項４に記載の給湯風呂装置。
【請求項８】
前記案内路の入口は前記第一弁体の軸上端面に形成され、当該案内路の出口は前記第一弁体が前記入水路を介して供給される上水の圧力により押されきったときの前記軸受の下端高さに相当する位置に形成されていることを特徴とする請求項７に記載の給湯風呂装置。
【請求項９】
前記第二開口は、前記弁室の天井面に形成されていることを特徴とする請求項１から８のいずれかに記載の給湯風呂装置。
【請求項１０】
前記第一開口には、脱着自在な閉止栓が取り付けられることを特徴とする請求項１から９のいずれかに記載の給湯風呂装置。
【発明の詳細な説明】
【０００１】
【発明の属する技術分野】
本発明は、給湯風呂装置に関し、更に詳しくは、低コストで水漏れトラブルを解消しつつ浴槽水が給水入口側へ逆流するのを有効に防止することができる給湯風呂装置に関する。
【０００２】
【従来の技術】
図９Ａから図９Ｃは、従来の逆流防止機能を備えた給湯風呂装置の一例を示したものであり、特許文献１に開示されたタイプと同様のものである。これらの図において給湯風呂装置１００は水流閉止弁１０１を備え、これにより浴槽側（下流側）から上水側（上流側）への湯水の逆流を防止していた。ここで水流閉止弁１０１は、水流による動圧に応じてホッパ装置１０２の弁室１０３とホッパ溜り部１０４とを仕切る仕切壁１０５に形成された大気開放口１０６を開閉する弁である。
【特許文献１】特開平９−３１８１５７号公報
【０００３】
そのため水流閉止弁１０１は、湯張り時においては水流による動圧により図９Ｃに示したように大気開放口１０６を閉止し、湯張りが終了すると図９Ａに示したように大気開放口１０６を開放するように構成されていた。この構成によれば湯水の一部は湯張り時に弁室１０３内に溜まり湯張りが終了して水流閉止弁１０１が開弁するとこの湯水がホッパ溜り部１０４へ落ちる。また湯張りが終了すると大気開放電磁弁１０７も開弁する。従ってホッパ溜り部１０４に累積的に湯水が溜まっていったとするならば、湯水はいずれそこから大気開放電磁弁１０７を経て大気開放管１０８から器外へ流出する事態も懸念される。器外への湯水の流出は水漏れ等のトラブルの原因になる。
【０００４】
そこで従来では大気開放管１０８からの湯水の流出を回避すべく、湯張り時前には、一旦、ポンプＰにより弁室１０３及びホッパ溜り部１０４に溜まった湯水を浴槽１０９へ排水していた。
【０００５】
具体的には次のような仕組みで排水を行っていた。まず前回の湯張りが終了した後の今回の湯張り指示により切替弁Ｖの二方弁１１０ａ、１１０ｂが注湯側（図示右方）に移動して切り替わり（図９Ａから図９Ｂの状態になる）、給湯経路を形成し次いでポンプＰが起動する。従って図９Ｂに示したようにホッパ溜り部１０４に溜まっている漏水は、ポンプＰの吸引力により、配水管１１１→第二給湯管１１２→切替弁Ｖ→戻り管１１３→ポンプＰ→熱交換器１１４→往き管１１５を経て浴槽１０９に排水させる。これにより弁室１０３及びホッパ溜り部１０４の水が全て排水され、外部への漏水が防止されていた。この一連の動作は湯張り指示がある度に行われていた。
【０００６】
この排水動作が終了すると実際の給湯に入り、図９Ｂから図９Ｃの状態になるように制御される。すなわち、給湯用電磁弁１１６が開放され、湯水が通水されるとバーナ１１７が燃焼を始めるとともに通水圧で水流閉止弁１０１が押し下げられて大気開放口１０６が閉止される。また大気開放電磁弁１０７が閉止される。湯は第一給湯管１１８→給湯用電磁弁１１６→ホッパ装置１０２→第二給湯管１１２→切替弁Ｖ→戻り管１１３から分岐されて一方は熱交換器１１４→往き管１１５を経て、他方はバイパス路１１９→戻り管１１３を経て、浴槽１０９へ注がれる。給湯中は閉止されている大気開放口１０６からの漏水（量は少ない）はホッパ溜り部１０４に溜められ、大気開放電磁弁１０７は閉じているため外部への漏水は全くない。
【０００７】
そして湯張りが終了すると図９Ｃから図９Ａの状態になるように制御される。すなわち、給湯用電磁弁１１６が閉止された後に切替弁Ｖが停止時・追焚時側（図示左方）へ切り替えられ、大気開放電磁弁１０７が開放される。給湯用電磁弁１１６が閉止されて通水が停止すると水流閉止弁１０１が上に上がり大気開放口１０６が開放される。そのため弁室１０３内の湯水がホッパ溜り部１０４に落ちる。この落ちた湯水は上述したように次回の給湯指示があると排水される。
このように従来の給湯風呂装置１００では給湯指示を行うたびに流路を注湯（排水及び給湯）経路と通常経路（運転停止時及び追焚時）とに切り替える必要があった。そのため切替弁Ｖを設ける必要があった。
【０００８】
【発明が解決しようとする課題】
しかしながら、この切替弁Ｖは二方弁であるため部品点数が多くなり機器全体をコスト高なものとするという問題があった。また、浴槽へ給湯を行うたびに切替弁Ｖを作動させ、浴槽への給湯が終わるたびに元に戻していたため制御手順が複雑になるという問題もあった。またホッパ装置内部での大気開放口からの水滴落下という問題もあった。
【０００９】
本発明はこのような事情に鑑みてなされたものであり、その第一の目的は、弁室や水室からの水漏れトラブルやその内部での水滴落下を解消できるとともに、切替弁を必要としない廉価な給湯風呂装置を提供することにある。
本発明の第二の目的は、浴槽内から給水口側への湯水の逆流を有効に防止することができる給湯風呂装置を提供することにある。
【００１０】
【課題を解決するための手段】
上記課題を解決するために、請求項１に記載の発明は、給湯器から浴槽への湯張り機能を有する給湯風呂装置において、給湯器の入水路と湯張り流路とを連通させる逆流防止路が備えられ、当該逆流防止路には、大気に連通可能な第一開口と、前記湯張り流路と連通可能な第二開口とが形成された弁室が備えられ、当該弁室には、前記第一開口を開閉する第一弁体及びその弁体を当該開口を開放する方向へ付勢する第一付勢部材と、前記第二開口を開閉する第二弁体及びその弁体を当該開口を開放する方向へ付勢する第二付勢部材とが備えられ、前記第一弁体及び第二弁体は、前記入水路を介して供給される上水の圧力を受けて、各々、前記第一開口及び第二開口を閉止することを要旨とするものである。
【００１１】
上記構成を備えた給湯風呂装置によれば、当該装置の設置時に給水元栓が開栓されると入水路に上水が供給される。そして第一弁体及び第二弁体は、入水路を介して供給される上水の圧力を受けて、各々、第一付勢部材及び第二付勢部材の付勢力に反して、第一開口及び第二開口を閉止する方向へ作動し、上水の供給開始とほぼ同時に、各々、第一開口及び第二開口を閉止する。
【００１２】
これにより逆流防止路は閉ざされる。この閉ざされた状態は、入水路を介して供給される上水の圧力がかからない状態にならない限り継続する。従って第一開口及び第二開口が閉止された後は、弁室からの水漏れトラブルやその内部での水滴落下は回避される。このように湯張り流路と連通する第二開口は閉止されるため上流側の湯水が入水路へ流れ込むこともない。
【００１３】
一方、入水路を介して供給される上水の圧力がかからない状態、例えば、断水状態になると、第一弁体及び第二弁体は、各々、第一付勢部材及び第二付勢部材により第一開口及び第二開口を開放する方向へ付勢される。これにより第一開口及び第二開口は開放され、湯張り流路は逆流防止路と連通し、逆流防止路は大気と連通する。そのため、逆方向に圧力が加わった場合には、当該湯張り流路や浴槽内の湯水は第二開口から弁室へ流れ込んだ後、第一開口から給湯風呂装置の器外へ排水される。
【００１４】
従って断水状態においては第二開口を通じて湯張り流路や浴槽から湯水を弁室（逆流防止路）へ流し込み、流れ込んだ湯水を第一開口を通じて器外へ排出するため、上流側の湯水が入水路へ流れ込むことはない。
【００１５】
この場合に請求項２に記載されるように、前記弁室は、その入水口が前記第一弁体の略鉛直上方に形成され、前記入水路を介して供給される上水の圧力が、前記第一弁体を前記第一開口を閉止する方向にかかりやすくするとよい。そうすれば通水力を第一弁体が第一開口を閉止する方向に直接効果的にかけることができるからである。そのため第一開口を少しでも短い時間で閉じることができる。また第一開口からの水滴落下が確実に防止される。
また、請求項３に記載されるように、前記第一開口は、前記弁室の底面に形成されるとともに、その周囲が少なくとも前記弁室内側へ突出した筒状体としてもよい。これにより、弁室内に供給される上水がそのまま第一開口から流出してしまうことが防止され、水面が筒状体の上端を超えるまえに通水力により第一弁体を閉弁させることができる。なおここでいう筒状体は、その内径が第一開口の径よりも大きくても小さくてもよく、また、その内径が位置によって変化するような形態のものでもよい。
【００１６】
また、請求項４に記載されるように、前記弁室には、前記第一弁体の軸の少なくとも一部を収容する軸受が前記入水口から延設されていることよい。そうすれば通水力を第一弁体が第一開口を閉止する方向へより効果的にかけることができるからである。
【００１７】
また、請求項５に記載されるように、前記軸受には、前記弁室へ上水を案内する案内口を形成してもい。案内口から弁室へスムーズに上水を案内することができるとともに、第一開口からやや離れたところへ上水を案内することができるからである。これにより装置の設置時における第一開口からの水滴落下が確実に防止される。
【００１８】
また、請求項６に記載されるように、前記案内口は、前記第一弁体が前記入水路を介して供給される上水の圧力により押されきったときの当該第一弁体の軸上端高さに相当する位置に形成されているとよい。具体的には第一開口が閉止され第一付勢部材が押されきったときの第一弁体の軸の上端高さに相当する位置である。そうすれば第一開口を閉止させてから上水を弁室へ案内できるからである。また入水口から弁室への流れをスムーズにできるからである。
【００１９】
また、請求項７に記載されるように、前記第一弁体の軸には上水を前記弁室へ案内する案内路を形成してもよい。この場合に請求項８に記載されるように、この案内路の入口は前記第一弁体の軸上端面に形成され、当該案内路の出口は前記第一弁体が前記入水路を介して供給される上水の圧力により押されきったときの前記軸受の下端高さに相当する位置に形成されるとよい。
【００２０】
そうすれば入水路を介して供給される上水の圧力により案内路の入口から上水が流れ込むその通水圧により第一弁体が押されて第一開口を閉止するとともに、案内路の出口が軸受の下端から現れた後でその上水を弁室へ案内することができる。そのため第一開口を閉止してから上水を弁室へ案内することができ装置の設置工事時における第一開口からの水滴落下が回避される。また案内路の入口から弁室への上水の流れをスムーズにできる。なお軸受と第一弁体との間の間隔は可能な限り小さくすることが望ましい。通水圧を第一弁体に効果的にかけるためである。
【００２１】
また、請求項９に記載されるように、前記第二開口は、当該弁室の天井面に形成してもよい。弁室内の残留空気を逆流防止路から器外へ追い出すことができるからである。そのため給湯管を圧力変動が伝搬することによるウオーターハンマ音の問題や、圧力変動による空気の伸縮による弁体作動が回避される。
【００２２】
また、請求項１０に記載されるように、第一開口には、脱着自在な閉止栓を取り付けることできる。第一開口を開放したままで装置の設置工事を行うときは当該開口から水滴落下が起こることがあるため、第一開口に閉止栓を取り付けておけば施工後に取り外して水滴落下によるトラブルを回避できるからである。
【００２３】
なお請求項５から８に記載されるように案内口や案内路を形成する場合には、第一弁体の軸の一部を第一付勢部材よりも付勢力が強い第三付勢部材を介して可動バルブ軸としてもよい。そうすれば、第一付勢部材が押されきってから第三付勢部材が押されるように構成でき、第一開口の閉止と上水の弁室への案内開始とのタイミングを確実にずらせるからである。そのため装置の設置工事時における第一開口からの水滴落下が確実に防止できる。
【００２４】
【発明の実施の形態】
以下図面を参照して本発明の一実施の形態について説明する。
図１Ａは、本発明の第一の実施形態に係る暖房機能付き給湯風呂装置１の構成を示したもの、図１Ｂは本発明の特徴部分を拡大して示したものである。給湯風呂装置１は、給湯装置Ａ、逆流防止路Ｂ、風呂装置Ｃ、暖房装置Ｄを主要な機能部として構成され、これらの動作を制御するコントローラ（図示省略）を有している。
【００２５】
給湯装置Ａは給湯回路２を備える。給湯回路２は、入水管２ａと、給湯管２ｂと、導水管２ｃと、入水管２ｄと、高温差し湯管２ｅと、バイパス管２ｆと、落し込み管２ｇ（第一落し込み管２ｇ１、第二落し込み管２ｇ２）と、複数のフィン３を所定間隔あけて備え入水管２ａ内の通水を加熱して給湯管２ｂへ送る給湯熱交換器２ｈとからなる。そして給湯装置Ａには、給湯熱交換器２ｈを下方から加熱する給湯バーナ４…が備えられる。
【００２６】
入水管２ａは、上水の供給路であり給湯熱交換器２ｈに接続される。給湯管２ｂは、給湯熱交換器２ｈの下流側に接続され、給湯時や浴槽への湯張りの流路となる。導水管２ｃは、入水管２ａから分岐して逆流防止路Ｂに通じ、入水管２ａに供給される上水を弁室Ｒへ導く流路となる。入水管２ｄは、暖房用に上水を供給させるため、入水管２ａの上流側で分岐して開放式膨張タンクＴに接続される。高温差し湯管２ｅは、給湯熱交換器２ｈで加熱された湯を浴槽８へ流入させるために設けられる。
バイパス管２ｆは、入水管２ａの給湯熱交換器２ｈの手前から分岐して直接給湯管２ｂ上の高温差し湯管２ｅの分岐箇所後続のところに合流する。落し込み管２ｇは、高温差し湯管２ｅの合流箇所後続のところから合流後の湯を浴槽８へ導くためのものであり、第一落し込み管２ｇ１と第二落とし込み管２ｇ２とからなる。なお給湯管２ｂはそのまま台所等の給湯カラン９に通じる。
【００２７】
そして入水管２ａには上流側から順に入水量を検知する水量センサ１０、入水温を検知する入水温サーミスタ１１、設定湯温が得られるように通水量を調整する水量制御モータ１２、熱交換後の湯温を検知する給湯熱交換器２ｈの出口サーミスタ１３が設けられる。給湯バーナ４は三つのバーナ群からなり、燃焼量に応じて、これらのバーナを選択的に又は同時に燃焼させることができる。
【００２８】
給湯管２ｂの高温差し湯管２ｅの分岐箇所とバイパス管２ｆの合流箇所との間には逆止弁１４が設けられており、バイパス水の高温差し湯管２ｅ側への流入が防止されている。また給湯管２ｂのバイパス管２ｆとの合流箇所の後続には熱交換後の湯と通水とを合流させた後の湯温を検知する出湯温サーミスタ１５が設けられている。出湯温サーミスタ１５で検知される湯温が所定温度になるように給湯バーナ４の燃焼量やバイパス管２ｆの通水量が制御される。
【００２９】
バイパス管２ｆの通水との合流後の給湯管２ｂを流れる湯の全部又は一部が流れ込む第一落し込み管２ｇ１には、上流側から落し込み電磁弁１６、逆止弁１７が設けられている。落し込み電磁弁１６は浴槽８への給湯時に開放されるとき以外は閉止されている。逆止弁１７は湯水の逆流を防止する。
【００３０】
高温差し湯管２ｅには差し湯電磁弁１８が設けられており、差し湯電磁弁１８は高温差し湯を行うとき以外は閉止されている。高温差し湯が行われる場合には差し湯電磁弁１８が開放され、その湯を水室７へ流入させる。高温差し湯管２ｅを設けたことで浴槽への給湯温度と給湯カランでの給湯温度とを異ならせることができる。高温差し湯が可能である。
【００３１】
水室７は浴槽８への湯張り流路の一部であり、高温差し湯がなされないときは第一落し込み管２ｇ１を通ってきた湯が通過し、高温差し湯がなされるときは高温差し湯管２ｅを通ってきた湯が通過する。
【００３２】
第二落し込み管２ｇ２は水室７を通過した湯を風呂装置Ｃへ送るものであり、給湯装置Ａと風呂装置Ｃとを接続する。第二落し込み管２ｇ２は、上流側から順に、流量を検知する落し込み流量センサ１９、逆流を防止する二個の逆止弁２０ａ，２０ｂ、浴槽８の水位を検出する風呂水位センサ２１が設けられる。
【００３３】
上記構成により給湯カラン９への出湯時は入水管２ａ→給湯熱交換器２ｈ→給湯管２ｂという経路を経て出湯させる。出湯設定温度に応じてバイパス管２ｆからの通水を給湯管２ｂ上で合流させて出湯させる。
【００３４】
一方、浴槽８への給湯時は、入水管２ａ→給湯熱交換器２ｈ→給湯管２ｂ→第一落し込み管２ｇ１→水室７→第二落し込み管２ｇ２→風呂戻り管２２ａ・風呂往き管２２ｃ→浴槽８という「湯張り流路」により給湯させる。
【００３５】
逆流防止路Ｂは、上水が直接供給される入水管２ａに接続される導水管２ｃと、給湯風呂装置１の器外、すなわち、大気と連通可能な大気開放口５ａと、湯張り流路の一部を構成する水室７と連通可能な浴槽開放口６ａとが形成された弁室Ｒとからなる。弁室Ｒには、大気開放口５ａを開閉する大気開放弁５ｂ及びその弁５ｂを大気開放口５ａを開放する方向へ付勢するスプリング５ｄと、浴槽開放口６ａを開閉する浴槽開放弁６ｂ及びその弁６ｂを浴槽開放口６ａを開放する方向へ付勢するスプリング６ｄとが備えられている。大気開放弁５ｂ及び浴槽開放弁６ｂは、入水管２ａに供給される上水の圧力を受けて、各々、スプリング５ｄ及びスプリング６ｄの付勢力に反して、各々、大気開放口５ａ及び浴槽開放口６ａを閉止する。
【００３６】
大気開放口５ａ，浴槽開放口６ａはいずれも弁室Ｒの床面に形成されており、これらの開放口は弁室Ｒの床面から起立した縁を備えた筒状形状をしている。そのため大気開放口５ａが完全に閉止されないうちに床面に上水が流入しても縁で堰き止められ大気開放口５ａからすぐに漏水しないようになっている。
【００３７】
大気開放弁５ｂは、導水管２ｃからの通水による水圧によって大気開放口５ａを開閉する弁である。大気開放弁５ｂは、その軸５ｅが軸受５ｃに挿入されて取り付けられ、下面端縁が弁室Ｒの底面に固定されるスプリング５ｄに取り付けられ、水圧がかからないときはスプリング５ｄの付勢力で開放する。
【００３８】
また浴槽開放弁６ｂは、水室７から流入する水の水圧と導水管２ｃからの通水による水圧との差圧によって浴槽開放口６ａを開閉する弁である。浴槽開放弁６ｂは、その軸が軸受６ｃに挿入されて取り付けられ、下面端縁が弁室Ｒの底面に固定されるスプリング６ｄに取り付けられ、導水管２ｃからの水圧がないとき又は低いときはスプリング６ｄの付勢力で開放する。
【００３９】
軸受５ｃ，６ｃは、弁室Ｒの天井から鉛直に垂れ下がって取り付けられており、大気開放弁５ｂ，浴槽開放弁６ｂは、スプリング５ｄ，６ｄを介して鉛直方向に上下動することにより逆流防止路Ｂの底面に形成された大気開放口５ａ，浴槽開放口６ａを開閉する。
【００４０】
このように大気開放口５ａ，浴槽開放口６ａを弁室Ｒの底面から起立する縁を形成した態様で弁室Ｒの床面に形成し、弁５ｂ，６ｂをスプリング５ｄ，６ｄを介して取り付けたことで、入水管２ａを介して供給される上水の圧力の有無のみで大気開放口５ａ，浴槽開放口６ａの開閉ができるようになっている。弁シート部５ｆ，６ｆは、それぞれ大気開放口５ａと大気開放弁５ｂとの間、浴槽開放口６ａと浴槽開放弁６ｂとの間に取り付けられ、閉止性能を高めるために設けられる。
【００４１】
次に風呂装置Ｃは風呂回路２２を備える。風呂回路２２は、風呂戻り管２２ａと、風呂熱交換器２２ｂと、風呂往き管２２ｃとを含む。風呂戻り管２２ａは、追焚時には浴槽８の湯を風呂熱交換器２２ｂへ導く一方、給湯時にはそれとは逆に第二落し込み管２ｇ２から供給される湯を浴槽８へ注ぐものである。風呂熱交換器２２ｂは、追焚時においては湯の流路となるだけでなく加熱がなされ、給湯時においては落し込み管２ｇ２から流れ込む湯の流路となる。風呂往き管２２ｃは、追焚時においては加熱された湯を浴槽８へ導き、給湯時においても第二落し込み管２ｇ２から流れ込む湯の流路となる。
【００４２】
風呂戻り管２２ａには追焚前の湯温を検知する風呂入水サーミスタ２４、浴槽水を循環させる風呂循環ポンプＰ１、循環水の流れを確認する流水スイッチ２５が設けられる。また、風呂熱交換器２２ｂには同軸に暖房装置Ｄの浴槽水加熱管２９ｅが内挿される。
【００４３】
浴槽８への給湯時はポンプＰ１を回さないため水室７→第二落し込み管２ｇ２→風呂戻り管２２ａという経路を経て湯を浴槽８に流し込むだけでなく、水室７→第二落し込み管２ｇ２→風呂熱交換器２２ｂ（給湯時は熱交換せず）→風呂往き管２２ｃという経路を経て浴槽８へ流し込むように風呂回路２２が構成される。浴槽８へ湯張りするときは沢山の湯量を一気に流そうとするので風呂戻り管２２ａと風呂往き管２２ｃの両方で流している。
【００４４】
一方、追焚時は湯をポンプＰ１により浴槽８から吸い上げさせ風呂戻り管２２ａを介して風呂熱交換器２２ｂへ流し込み、浴槽水加熱管２９ｅにより加熱し、その湯を風呂往き管２２ｃから浴槽８へ流し込むように風呂回路２２が構成される。
【００４５】
暖房装置Ｄは、各部屋の床下に設けられた低温放熱器２７及びエアコンや浴室乾燥機やパネルヒーター等に代表される高温放熱器２８に暖房水を循環させる暖房回路２９と、暖房回路２９を下方から加熱する暖房バーナ３０と、複数のフィン３１ａを所定間隔あけて備え暖房水を加熱する暖房熱交換器３１とを備える。
【００４６】
暖房回路２９は、暖房戻り管２９ａと、暖房高温往き管２９ｂと、暖房低温往き管２９ｃと、バイパス管２９ｄと、浴槽水加熱管２９ｅとを備える。暖房戻り管２９ａは、暖房水を暖房熱交換器３１へ送るものである。暖房高温往き管２９ｂは、暖房熱交換器３１で暖房水を加熱するとともに、加熱された高温の暖房水を高温放熱器２８へ送るものである。暖房低温往き管２９ｃは、暖房戻り管２９ａから分岐して暖房熱交換器３１を介さず直接低温の暖房水を低温放熱器２７へ送るものである。バイパス管２９ｄは、高温放熱器２８を挟んで暖房高温往き管２９ｂと暖房戻り管２９ａとを繋ぐものである。浴槽水加熱管２９ｅは、暖房高温往き管２９ｂから分岐して風呂熱交換器２２ｂに内挿された後、暖房戻り管２９ａへ連絡する。
【００４７】
浴槽水加熱管２９ｅには風呂熱動弁３２が設けられる。暖房低温往き管２９ｃは分岐してそれぞれに熱動弁３３…が設けられその下流で低温放熱器２７と接続する。低温放熱器２７では管が蛇行して形成され、その下流端が暖房戻り管２９ａに接続される。同様に暖房高温往き管２９ｂにも熱動弁３４が設けられる。
【００４８】
暖房高温往き管２９ｂには、暖房熱交換器３１の近傍に追焚後の湯温を検知する暖房出湯サーミスタ３５が設けられている。給水管２ｄは暖房水の熱膨張に対応する開放式膨張タンクＴの上端部に接続し、タンクＴの手前に給水時／停止時に開閉する電磁弁３６が設けられている。そしてタンクＴから延びる暖房高温往き管２９ｂには上流側に暖房水を循環させる暖房循環ポンプＰ２が設けられ、後続は二股に分岐し一方はそのまま暖房高温往き管２９ｂとして暖房熱交換器３１を経由するが、他方は暖房熱交換器３１を経由しないで暖房低温往き管２９ｃとして分岐する。
【００４９】
タンクＴの底面には熱交換前の湯温を検知する暖房入水サーミスタ３７が設けられる。タンクＴには水位を検知する下限暖房水位電極３８ａ、上限暖房水位電極３８ｂが設けられる。またタンクＴには上限暖房水位電極３８ｂの下端より上方で、オーバーフロー管３９が接続される。
【００５０】
ガス流路４０は、上流側で給湯側ガス流路４０ａと暖房側ガス流路４０ｂとに分岐し、給湯側ガス４０ａ流路では上流側から順にガス流路４０を開閉する元電磁弁４１、通電量に応じたガス流量を制御する比例弁４２、三組のバーナ群へのガス流路を独立して開閉する給湯電磁弁４３…がそれぞれ設けられ各々独立した燃焼制御が行われる。一方、暖房側ガス流路４０ｂでは上流側から順にガス流路４０を開閉する元電磁弁４１、通電量に応じたガス流量を制御する比例弁４４、二組のバーナ群へのガス流路を独立して開閉する暖房電磁弁４５…がそれぞれ設けられ各々独立した燃焼制御が行われる。
【００５１】
そして給湯バーナ４、暖房バーナ３０にはイグナイタ４６の作動によりガスへ着火する電極４７，４８、燃焼炎を検知するフレームロッド４９，５０が設けられ、前記のセンサ類やアクチュエータ類とともに給湯運転・追焚運転・暖房運転のすべての制御を司るシステムコントローラ（図示省略）と電気的に接続され出湯・追焚・暖房等所定の制御が行われる。またシステムコントローラには給湯装置Ａ、風呂装置Ｃ、暖房装置Ｄ等を制御するリモコン装置が電気的に接続されている。
【００５２】
給湯バーナ４等の給湯燃焼本体は給湯燃焼ケース５１に収納され、暖房バーナ３０等の暖房燃焼本体は暖房燃焼ケース５２に収納される。各燃焼ケース５１，５２には、その下部に燃焼用空気を供給する給湯ファン５３、暖房ファン５４がそれぞれ設けられ、また、その上部に燃焼排気を排出する給湯排気口５１ａ、暖房排気口５２ａがそれぞれ設けられる。
【００５３】
次に一般給湯動作について説明する。図示しない風呂リモコンの給湯スイッチオン又は給湯カラン９の開栓により給湯熱交換器２ｈへ所定量以上の水が流入すると、給湯バーナ４が点火して比例制御を開始し、システムコントローラによる制御によりガス流量と空気量とが連続的に変化し出湯温度が設定温度に保たれる。システムコントローラが給湯水量センサからの止水信号を検知し、ガス供給を停止し消火する。ポストパージ動作後、給湯ファン５３を停止させる。どのような経路で給湯暖房追焚がなされるかについては上述したのでその説明を省略する。
【００５４】
次に暖房動作について説明する。高温放熱器２８、低温放熱器２７のいずれかのリモコンからの運転信号をシステムコントローラが検知すると暖房循環ポンプＰ２が回転し、暖房出湯サーミスタ３５（又は暖房入水サーミスタ３７）により検知される暖房水の温度が所定値以下になると暖房ファン５４が回転し、暖房バーナ３０に点火して比例制御が開始される。
【００５５】
次に上記構成を備えた暖房機能付き給湯風呂装置１において逆流防止路Ｂがどのように動作するかについて説明する。
（１）給湯風呂装置１の設置工事時に給水元栓を開栓したとき
設置工事が終了し外部配管の給水元栓が開栓されると導水管２ｃを通じて弁室Ｒへ上水が流れ込む。大気開放弁５ｂは、弁室Ｒの上方からこの上水の圧力を受けて、スプリング５ｄの付勢力に反してスプリング５ｄを押し下げる。大気開放弁５ｂがスプリング５ｄを押し下げ遂には弁シート部５ｆが大気開放口５ａの上端縁に密着すると大気開放弁５ｂは大気開放口５ａを完全に閉止する。
【００５６】
大気開放口５ａが完全に閉止されるまでの短い時間のあいだに、ここからの漏水が懸念されるが、大気開放口５ａは弁室Ｒの底面から起立した縁が形成された筒状であるため水位が大気開放口５ａの高さを超えない限り漏水は起こらない。通常は漏水が起こる前に大気開放口５ａは閉止される。従って、大気開放口５ａからの水滴落下はない。
【００５７】
同様に浴槽開放弁６ｂもまた、入水管２ａを介して弁室Ｒの上方から供給される上水の圧力によりスプリング６ｄの付勢力に反してスプリング６ｄを押し下げる。浴槽開放弁６ｂがスプリング６ｄを押し下げ遂には弁シート部６ｆが浴槽開放口６ａの上端縁に密着すると、浴槽開放弁６ｂは浴槽開放口６ａを完全に閉止する。一旦大気開放口５ａ及び浴槽開放口６ａが閉止されると水不足等で断水にならない限りこの状態が継続する。そして浴槽や湯張り流路から湯水が浴槽開放口６ａを通じて上水へ流れ込む逆流が防止される。
【００５８】
（２）水不足等の断水時
断水時には給水元栓が開栓していても水が供給されてこないため、大気開放弁５ｂ，浴槽開放弁６ｂに水圧がかからなくなるとともに、スプリング５ｄ，６ｄによる付勢力が効いてこれら大気開放弁５ｂ，浴槽開放弁６ｂは開く。そうすると、浴槽８側（水室７、落し込み管２ｇ、風呂装置Ｃ等）から浴槽開放口６ａを介して水が弁室Ｒへ流れ込む。浴槽開放口６ａから流れ込んだ水や弁室Ｒに残っていた水は、大気開放口５ａから排出される。従ってこの水が導水管２ｃを通って上水側へ逆流することは全くない。
【００５９】
なお上水道から水が供給されなくなると、給湯風呂装置１の回路各部で湯水が流れなくなり水圧が下がる。特に浴槽８が高い位置にあるときは上水側の給水がなくなると浴槽８から上水側へ水が逆流し始める。しかし大気開放弁５ｂ，浴槽開放弁６ｂが開くため、浴槽や湯張り流路から浴槽開放口６ａを介して弁室Ｒへ流れ込んだ湯水は大気開放口５ａから器外へ排水される。従って湯水が逆流し始めたとしても導水管２ｃに至ることはない。
【００６０】
また浴槽８から大量の湯水が逆流してきたときは高温差し湯管２ｅや第一落し込み管２ｇ１へ向かって水が流れ込もうとすることも想定されるがそのようなときは逆止弁２０ｂ，２０ａ，１７により逆流が防止され、落し込み電磁弁１６や差し湯電磁弁１８も閉止していることから大気開放口５ａからの排水能力で十分対応できる。
【００６１】
次に本発明の第二の実施形態について図２を参照して説明する。
同図は大気開放口５ａに器外から脱着可能に閉止栓５５を取り付けた状態を示したものである。閉止栓５５は装置１の設置工事終了後に取り外す。そうすれば設置工事時のオーバーフローによる水漏れ、つまり、大気開放弁５ｂが閉弁するまでの水漏が防止できるからである。大気開放口５ａのところに予め容器を置いておきそれから閉止栓５５を開けばオーバーフローによる漏水を別途処分できる。
【００６２】
次に本発明の第三の実施形態について図３を参照して説明する。
同図は弁室Ｒの一部を拡大して示したものであり、弁室Ｒの入口Ｅが大気開放弁５６ｂの略鉛直上方に形成された例を示したものである。矢示したように、入水管２ａを介して供給される上水の圧力を大気開放弁５６ｂが大気開放口５６ａを閉止する方向に効果的にかけることができる。そのため大気開放口５６ａを少しでも短い時間で閉止する（図３（ａ）→同図（ｂ））ことができる。
【００６３】
軸受５６ｃは、壁面Ｗから軸方向に対して垂直方向に延びて大気開放弁５６ｂの軸を収容するように設けられ、入口Ｅから流れ込む水が大気開放弁５６ｂの真上にあたるように軸受５６ｃには大気開放弁５６ｂの軸方向に平行な調整片５６ｆが形成される一方、弁室Ｒへ水を案内する案内口５６ｅも形成される。軸受５６ｃと大気開放弁５６ｂとの間には適当な間隔が開けられる。大気開放弁５６ｂを下方へ押す水の流路を確保するためである。
【００６４】
次に本発明の第四の実施形態について図４を参照して説明する。
同図は弁室Ｒの一部を拡大して示したものであり、弁室Ｒの入口Ｅが大気開放弁５７ｂの略鉛直上方に形成された例を示したものである。このように構成すれば、矢示したように入水管２ａを介して供給される上水の圧力を、大気開放弁５７ｂが大気開放口５７ａを閉止する方向に効果的にかけることができる。そのため大気開放口５７ａを少しでも短い時間で閉止することができる（図４（ａ）→同図（ｂ））。
【００６５】
軸受５７ｃは、入口Ｅから大気開放弁５７ｂの軸を収容するように延設されたものであり、入水管２ａを介して供給される上水が大気開放弁５７ｂの真上にあたるように軸受５７ｃと大気開放弁５７ｂとの間には適当な間隔が開けられる一方、弁室Ｒへ上水を案内する案内口５７ｅが形成されている。この案内口５７ｅは、大気開放弁５７ｂが水圧により押し下げられたときのその軸の上端高さに相当する位置近傍に形成されている。従って大気開放口５７ａを閉止させてからは入口Ｅから弁室Ｒへ流れ込む水の流路を十分に確保できる。
【００６６】
次に本発明の第五の実施形態について図５を参照して説明する。
同図は大気開放弁５７ｂの軸の一部をスプリング５７ｄよりも付勢力が強いスプリング５７ｉを介して可動バルブ軸５７ｈとした例を示したものである。このように構成すれば大気開放弁５７ｂを分割可動式、すなわち、大気開放弁５７ｂが大気開放口５７ａを閉止してから（図５（ａ）→同図（ｂ））、可動バルブ軸５７ｈが水圧により押し下げられる（図５（ｂ）→同図（ｃ））ようにすることができる。
【００６７】
分割可動式としたのは、大気開放口５７ａが閉止されるタイミング（同図（ｂ））と案内口５７ｅから水が本格的に弁室Ｒへ案内され始めるタイミング（同図（ｃ））とを確実にずらすためである。そのため装置１の設置工事時における大気開放口５７ａからのオーバーフローをより確実に防止できる。
【００６８】
案内口５７ｅは、同図（ｃ）のように大気開放弁５７ｂが大気開放口５７ａを閉止し可動バルブ軸５７ｈが押し下げられきったときの上端高さに相当する位置に形成している。オーバーフローを確実に防止するためである。また可動バルブ軸５７ｈと軸受５７ｃの間の隙間はできるだけ狭めに構成される。大気開放口５７ａを閉止する力を効果的に作用させるためである。その他の特徴的構成については第四の実施形態と同様であるためその説明を省略する。
【００６９】
次に本発明の第六の実施形態について図６を参照して説明する。
同図は大気開放弁５８ｂの軸に水を弁室Ｒへ案内する案内路５８ｅが形成された例を示したものであり、案内路５８ｅの入口５８ｆは大気開放弁５８ｂの軸上端面に形成され、案内路５８ｅの出口５８ｇは大気開放弁５８ｂが大気開放口５８ａを閉止したときに軸受５８ｃの下端からちょうど現れる高さに相当する位置に形成されている。
【００７０】
このように案内路５８ｅは、そのつきあたりで入口５８ｆから入った水が大気開放弁５８ｂを大気開放口５８ａを閉止する方向へ徐々に押すように構成され（図６（ａ））、その後に出口５８ｇが現れてそこから水が弁室Ｒへ流入する（図６（ｂ））ように構成されている。また大気開放弁５８ｂと軸受５８ｃの間の隙間はできるだけ狭めに構成される。大気開放口５８ａを閉止する力を効果的に作用させるためである。
【００７１】
次に本発明の第七の実施形態について図７を参照して説明する。
同図は大気開放弁５９ｂの軸の一部をスプリング５９ｄよりも付勢力が強いスプリング５９ｉを介して可動バルブ軸５９ｈとし、可動バルブ軸５９ｈに水を弁室Ｒへ案内する案内路５９ｅを形成した例を示したものである。
【００７２】
そして案内路５９ｅの入口５９ｆは可動バルブ軸５９ｈの軸上端面に形成され、案内路５９ｅの出口５９ｇは大気開放弁５９ｂが大気開放口５９ａを閉止し、可動バルブ軸５９ｈが押し下げられきったときに軸受５９ｃの下端からちょうど現れる高さ（図７（ｃ）参照）に相当する位置に形成されている。
【００７３】
案内路５９ｅは、そのつきあたりで入口５９ｆから入った水が大気開放弁５９ｂを大気開放口５９ａを閉止する方向へ徐々に押すように構成され（図７（ａ）→図７（ｂ））、その後に出口５９ｇが現れてそこから水が弁室Ｒへ流入するように構成されている（図７（ｃ））。また可動バルブ軸５９ｈと軸受５９ｃの間の隙間はできるだけ狭めに構成される。大気開放口５８ａを閉止する力を効果的に作用させるためである。
【００７４】
第六及び第七の実施形態によれば大気開放口を完全に閉止してから水を弁室へ流入させることができ装置１の設置工事時の水滴落下が解消される。
【００７５】
次に本発明の第八の実施形態について図８を参照して説明する。
この実施形態は、弁室Ｒの天井面に浴槽開放口６０ａを形成し、これを開閉するために浴槽開放弁６０ｂを上向きに設けた例である。そのため水室７は、浴槽開放口６０ａに連通させるべく弁室Ｒの上側に設けられる。このような構成において装置１の設置工事時に給水元栓が開栓されると大気開放弁５ｂ及び浴槽開放弁６０ｂは水圧により大気開放口５ａ及び浴槽開放口６０ａを閉止するが浴槽開放口６０ａが天井面に形成されているため弁室Ｒ内の残留空気はそこから追い出される。そのため残留空気に起因する圧力変動による配管内での音の響きや水漏れは防止される。
【００７６】
以上本発明の実施の形態について説明したが、本発明は上記実施形態に何ら限定されるものではない。上記説明においては暖房機能付き給湯風呂装置に本発明を適用した例を示したが、本発明は暖房機能や追焚機能がついていないものにも当然適用し得るものである。またスプリングに代えて他の付勢部材を用いてもよい。
【００７７】
【発明の効果】
以上説明したように本発明に係る給湯風呂装置は、給湯器の入水路と湯張り流路とを連通させる逆流防止路には、大気に連通可能な第一開口と、前記湯張り流路と連通可能な第二開口とが形成された弁室が備えられ、当該弁室には、前記第一開口を開閉する第一弁体及びその弁体を当該開口を開放する方向へ付勢する第一付勢部材と、前記第二開口を開閉する第二弁体及びその弁体を当該開口を開放する方向へ付勢する第二付勢部材とが備えられたものであるから、第一弁体及び第二弁体は、入水路を介して供給される上水の圧力を受けて、各々、第一開口及び第二開口を閉止する。そのため弁室からの水漏れトラブルやその内部での水滴落下が解消されるという効果がある。
【００７８】
また上記構成を備えたため、断水時には第一付勢部材及び第二付勢部材による付勢力により第一弁体及び第二弁体が開放されるので、浴槽や湯張り流路の湯水は第二開口を通じて弁室へ案内された後、第一開口を通じて器外へ排出される。従って断水時においても浴槽や湯張り流路の湯水が上水側へ流れ込むという逆流が有効に防止されるという効果がある。
【００７９】
更に本発明に係る給湯風呂装置は、第一付勢部材及び第二付勢部材による付勢力を利用して第一弁体及び第二弁体により第一開口及び第二開口を開閉するようにしたものであるから、切替弁を設ける必要がなく製造コストを抑えることができるという効果がある。また、浴槽への給湯の度に弁体を移動させる必要がないため制御手順が簡単になるという効果がある。
【図面の簡単な説明】
【図１Ａ】本発明の第一の実施形態に係る給湯風呂装置の構成を示した図である。
【図１Ｂ】本発明の第一の実施形態に係る給湯風呂装置の特徴的部分の構成を拡大して示した図である。
【図２】本発明の第二の実施形態の構成を大気開放弁の動きと併せて示した図である。
【図３】本発明の第三の実施形態の構成を大気開放弁の動きと併せて示した図である。
【図４】本発明の第四の実施形態の構成を大気開放弁の動きと併せて示した図である。
【図５】本発明の第五の実施形態の構成を大気開放弁の動きと併せて示した図である。
【図６】本発明の第六の実施形態の構成を大気開放弁の動きと併せて示した図である。
【図７】本発明の第七の実施形態の構成を大気開放弁の動きと併せて示した図である。
【図８】本発明の第八の実施形態の構成を示した図である。
【図９Ａ】従来の給湯装置の構成を示した図である。
【図９Ｂ】従来の給湯装置の構成を示した図である。
【図９Ｃ】従来の給湯装置の構成を示した図である。
【符号の説明】
Ｂ  逆流防止路（逆流防止路）
Ｒ  弁室（逆流防止路、弁室）
５ａ  大気開放口（第一開口）
５ｂ  大気開放弁（第一弁体）
５ｄ  スプリング（第一付勢部材）
６ａ  浴槽開放口（第二開口）
６ｂ  浴槽開放弁（第二弁体）
６ｄ  スプリング（第二付勢部材）
２ｃ  導水管（逆流防止路）
２ａ  入水管（入水路）
【図１Ａ】
2004324945.tif 000003
【図１Ｂ】
2004324945.tif 000004
【図２】
2004324945.tif 000005
【図３】
2004324945.tif 000006
【図４】
2004324945.tif 000007
【図５】
2004324945.tif 000008
【図６】
2004324945.tif 000009
【図７】
2004324945.tif 000010
【図８】
2004324945.tif 000011
【図９Ａ】
2004324945.tif 000012
【図９Ｂ】
2004324945.tif 000013
【図９Ｃ】
2004324945.tif 000014